(57)【要約】  本発明は、密閉容器から流体サンプルを抽出するハブ付きデュアルカニューレ型器具を提供する。この器具は、ハウジングハブ、２本の互いに実質的に平行な針、通気弁及び疎水性メンブレンを有し、かかる器具は、流体サンプル中の細胞性成分を損傷させず又は血小板を活性化させないで、密閉容器、例えば真空管から流体サンプルを抽出するよう効果的に使用できる。また、開示する器具を使用して密閉容器から流体サンプルを抽出する方法及びかかる器具を使用して血小板凝集度を測定するキットが提供される。
2011523078.tif 000002
【特許請求の範囲】
【請求項１】
流体サンプルを密閉容器から抽出する器具であって、
（ａ）第１の開口部、第２の開口部、前記第１の開口部と流体連通状態にある通気ポート、及び前記第２の開口部と流体連通状態にある入力ポートを備えたハウジングハブを有し、
（ｂ）尖った末端及び丸まった末端を備えた通気先端部を有し、前記通気先端部の前記丸まった末端は、前記通気先端部と前記通気ポートとの流体連通関係を確立するよう前記ハウジングハブに係合し、
（ｃ）尖った末端及び丸まった末端を備えた入力先端部を有し、前記入力先端部の前記丸まった末端は、前記入力先端部と前記入力ポートとの流体連通を確立するよう前記ハウジングハブに係合し、
（ｄ）前記第１の開口部内に位置決めされた通気弁を有し、前記通気弁は、前記器具の外部から前記密閉容器への一方向空気流を可能にするが、前記密閉容器内の前記流体サンプルが前記第１の開口部から漏れ出るのを阻止し、
（ｅ）前記通気弁に隣接して位置決めされた疎水性メンブレンを有し、前記疎水性メンブレンは、流入空気を濾過すると共に前記密閉容器内の前記流体サンプルが前記第１の開口部から漏れ出るのを阻止する、器具。
【請求項２】
前記流体サンプルは、全血サンプルである、請求項１記載の器具。
【請求項３】
前記流体サンプルは、血漿サンプルである、請求項１記載の器具。
【請求項４】
前記血漿サンプルは、多血小板血漿サンプルである、請求項３記載の器具。
【請求項５】
前記第１の開口部は、前記通気弁及び前記疎水性メンブレンを収容するよう形作られると共に構成されている、請求項１記載の器具。
【請求項６】
前記第２の開口部は、テーパ付きルアーロック先端部と嵌合するよう形作られると共に構成されている、請求項１記載の器具。
【請求項７】
前記通気先端部及び前記入力先端部のうちの少なくとも一方は、注射針で構成される、請求項１記載の器具。
【請求項８】
前記注射針は、約１６〜２６ゲージである、請求項７記載の器具。
【請求項９】
前記注射針は、非コアリング針である、請求項７記載の器具。
【請求項１０】
前記注射針は、チゼル先端部を含む、請求項７記載の器具。
【請求項１１】
前記通気先端部と前記入力先端部は、実質的に等しい長さを有する、請求項１記載の器具。
【請求項１２】
前記通気先端部と前記入力先端部は、実質的に平行である、請求項１記載の器具。
【請求項１３】
前記通気先端部と前記入力先端部の前記尖った末端は、高さが互い違いになっており又は実質的に等しい高さを有する、請求項１２記載の器具。
【請求項１４】
前記通気弁は、ダックビル形逆止弁で構成される、請求項１記載の器具。
【請求項１５】
前記疎水性メンブレンは、流体の存在により膨張する材料で構成される、請求項１記載の器具。
【請求項１６】
前記ハウジングハブは、熱可塑性材料で構成される、請求項１記載の器具。
【請求項１７】
前記器具は、１回使用器具である、請求項１記載の器具。
【請求項１８】
流体サンプルを密閉容器から抽出する方法であって、
（ａ）請求項１記載の前記サンプル抽出器具及び密閉容器内に入れられている流体サンプルを用意するステップと、
（ｂ）前記通気先端部及び前記入力先端部の前記尖った末端を用いて前記密閉容器を穿通して前記密閉容器と前記サンプル抽出器具とを互いに流体連通させるステップと、
（ｃ）前記器具内の圧力を変えて前記流体サンプルを抽出するステップとを有する、方法。
【請求項１９】
前記流体サンプルは、全血サンプルである、請求項１８記載の方法。
【請求項２０】
前記流体サンプルは、血漿サンプルである、請求項１８記載の方法。
【請求項２１】
前記血漿サンプルは、多血小板血漿サンプルである、請求項２０記載の方法。
【請求項２２】
前記密閉容器は、真空管で構成される、請求項１８記載の方法。
【請求項２３】
前記真空管は、完全吸込み真空管及び部分吸込み真空管から選択される、請求項２２記載の方法。
【請求項２４】
流体サンプル中の血小板凝集度を測定するキットであって、前記キットは、請求項１記載の前記サンプル抽出器具と、血小板凝集度を測定する試薬とを含む、キット。
【請求項２５】
サンプル収集容器を更に含む、請求項２４記載のキット。
【請求項２６】
前記サンプル収集容器は、真空管である、請求項２５記載のキット。
【請求項２７】
前記真空管は、完全吸込み真空管及び部分吸込み真空管から選択される、請求項２６記載のキット。
【請求項２８】
血小板凝集度を測定する前記試薬は、粒子上に不動化されたＧＰＩＩｂ／ＩＩＩａレセプターリガンドを含む、請求項２４記載のキット。
【請求項２９】
前記流体サンプルのｐＨ及び塩濃度を血小板凝集に適した範囲内に維持する抗凝固薬及び緩衝液を更に含む、請求項２８記載のキット。
【請求項３０】
前記ＧＰＩＩｂ／ＩＩＩａレセプターリガンドは、フィブリノーゲン、単クローン抗体１０Ｅ５、単クローン抗体ｃ７Ｅ３、フォンウルブランド因子、フィブリネクチン、ビトロネクチン、アルギニン‐グリシン‐アスパラギン酸（ＲＧＤ）配列を有するリガンド及びＲＧＤ配列を模倣したペプチド又はペプチドミメチックから成る群から選択された物質を含む、請求項２８記載のキット。
【請求項３１】
前記ＧＰＩＩｂ／ＩＩＩａレセプターリガンドは、フィブリノーゲンを含む、請求項２８記載のキット。
【請求項３２】
前記サンプル抽出器具は、１回使用器具である、請求項２４記載のキット。
【発明の詳細な説明】
【技術分野】
【０００１】
本発明は、一般に、診断のためのアッセイ（評価分析）の分野、特に容器サンプル採取システム、例えば臨床化学分析器、より詳細には、流体サンプルを密閉容器から抽出するハブ付きデュアルカニューレ型器具に関する。
【０００２】
〔関連出願の説明〕
本願は、２００８年６月９日に出願された米国特許出願第６１／０６０，０７６号の権益主張出願であり、この米国特許出願を参照により引用し、その記載内容全体を本明細書の一部とする。
【背景技術】
【０００３】
天然に生じる場合と合成で得られる場合の両方の広範な生理活性化合物を定量的に測定できるということは、診断の補助資料と治療の補助資料の両方において重要度が益々高まっている。医療業界は、個人の健康状態、薬剤の投与レベル、不法薬剤の使用、遺伝子配列等を判定することができるようにするために生理学的流体中の種々の実態を測定する能力への依存度が益々高くなっている。かくして、生理学的サンプルを採取し、特定の成分について迅速に分析を行うことができるようにすることにより、医学的治療が益々効率的に且つ益々首尾良くなっている。
【０００４】
１種類又は２種類以上の分析物に関する生理学的流体又は生物学的サンプルの診断用アッセイは、主として、臨床検査部門における判定を必要としている。ただし、医師のオフィス及び家庭でのアッセイによる判定を実施することができるということに関心が益々寄せられている。臨床検査部門で実施されるアッセイと関連した種々の問題に取り組もうとして多くのシステムが開発された。
【０００５】
簡単であり、操作が容易であり、しかもオペレータの失敗の恐れを減少させるプロトコル及び器具を提供することに相当な関心が寄せられている。理想的な状況は、容器内の未測定状態のサンプルの収集であり、次にこの容器は密閉される。次に、密閉容器を開かずに且つサンプルを正確に測定する必要なく、サンプルをアッセイ器具中に導入する。サンプルが導入された器具は、分析されるべきサンプルの正確な測定を提供し、このことは、定量的結果を得るうえで重要である。
【０００６】
多くの場合、血液は、患者の健康を診断し又は患者に投与された薬剤の効能をモニタするためのサンプルの源である。これらパラメータの判定のための源としての血液には、直接用いられる場合又は緩衝液で希釈された場合であっても、多くの欠点がある。これら欠点としては、迅速な凝固、多量の光吸収及び蛍光物質の存在、組成のばらつき、アッセイで用いられる試薬に関する変化の感受性及び酸素の存否のばらつきが挙げられる。これら特性は、診断目的のサンプルとしての血液の使用を複雑にする。これら問題を解決するために、種々の技術、例えば高度の希釈、抗凝固薬の添加、血漿及びその細胞性成分への血液の分離等が採用された。かかる捜査中、或る特定の診断用アッセイを邪魔する場合のあるヘモグロビンの放出を回避するために赤血球の凝塊を回避するよう多大な注意が払われなければならない。サンプル媒体としての血液の使用と関連した問題にもかかわらず、多くの場合、血液は、関心のある情報を提供する唯一の源である。したがって、全血の成分からの干渉を減少させながら全血を用いる手法を見出すことが極めて望ましい。したがって、診断目的で血液を用いたり操作したりするための方式を改良することに相当な関心が寄せられている。
【０００７】
全血サンプルを用いる分析に特定の関心のある一領域は、血小板機能の評価である。哺乳動物の生理学における血小板の役割は、極めて多様性に富んでいるが、これらの主要な役割は、血栓形成を促進することにある。多くの状況では、血液が凝固する能力、即ち、血小板が付着すると共に／或いは凝集する能力によってしばしば制御されるパラメータの評価が望ましい。かくして、血小板の接着機能の評価を望む場合がある。例えば、凝血形成を阻止し又は促進する薬剤を投与するかどうかを知りたいと願う場合があり又は手術手技に先立って血小板機能の低下を検出する必要のある場合がある。他の場合、新薬として試験され又は患者に対する認可された臨床治療として用いられている血小板抑制剤の有効性の評価に関心がある場合がある。
【０００８】
血小板は、通常の止血の保持に重要な役割を果たしている。損傷を受けた血管にさらされると、血小板は、露出状態の内皮下基質に粘着することになる。初期粘着に続き、外傷部位のところで放出され又は生じた種々の因子、例えばトロンビン、ＡＤＰ及びコラーゲンが血小板を活性化させる。血小板がいったん活性化されると、立体配置的変化が血小板とタンパク質（ＧＰ）ＩＩｂ／ＩＩＩａレセプタに生じ、このＧＰＩＩｂ／ＩＩＩａレセプタは、フィブリノーゲン及び／又はフォンウルブランド因子に結合可能である。止血栓又は血栓を形成するよう追加の血小板が外傷部位に補充されると共にこれらの凝集を結果的に生じさせる原因は、多価フィブリノーゲン及び／又はフォンウルブランド因子分子がこのようにＧＰＩＩｂ／ＩＩＩａレセプタにより隣接の血小板に結合されるということにある。
【０００９】
迅速血小板機能アッセイが開発され、これは、米国特許第５，７６３，１９９号明細書（発明者：コラー（Coller））に記載されており、この米国特許を参照により引用し、その記載内容全体を本明細書の一部とする。アッセイは、全血中におけるＧＰＩＩｂ／ＩＩＩａレセプタの遮断を判定する。小さなポリマービーズを遮断されていない活性化ＧＰＩＩｂ／ＩＩＩａレセプタを含む血小板を含有する全血に接触させると、結果として、ＧＰＩＩｂ／ＩＩＩａリガンド、例えばフィブリノーゲンで被覆された小さなポリマー粒子の凝集反応が生じる。凝集反応が生じないことは、ＧＰＩＩｂ／ＩＩＩａレセプタが活性化状態にならなかったこと且つ／或いはＧＰＩＩｂ／ＩＩＩａレセプタの遮断が生じたことを示唆している。アッセイは、収集容器を開かないで、試験されるべき血液を収集容器からアッセイ器具に移すことができる。
【００１０】
試験を実施するのに必要な血液の量は、数滴よりも多い場合、血液収集容器、例えば真空管又は注射器が用いられる。次に、サンプルをアッセイ中に送り込むには、血液を収集容器からアッセイ器具に輸送することが必要である。輸送は、臨床医への有害な接触とサンプルの汚染の両方の恐れを増大させる。臨床医及び実験室技師に対する危害の恐れを最小限に抑えると共にサンプル汚染の恐れを減少させるため、サンプル採取は、典型的には、プロセス中、真空管のキャップを取り外す必要がないようにするために密閉真空管から直接行われる。例示の管製造業者及びこれらのそれぞれの真空管の商標としては、ベクトン・ディッキンソン（Becton Dickinson）社製のVACUTAINER（登録商標）、グレイナー・バイオ‐ワン（Greiner Bio-One）社製のVACUETTE（登録商標）、ザルステッド・エス（Sarstedt S）社製のMONOVETTE（登録商標）及びテルモ（Terumo）社製のVENOSAFE（登録商標）が挙げられる。
【００１１】
先行技術は、流体生物学的サンプルを密閉真空管から抽出する多種多様な器具及び方法を開示している。これについては、例えば、米国特許第５，２７９，７９６号明細書、同第５，６０２，０３７号明細書、同第５，８８８，８２６号明細書、同第６，０１６，７１２号明細書、同第６，８１７，２５６号明細書、同第６，８６９，４０５号明細書及び同第６，９０２，５３４号明細書を参照されたい。典型的な抽出プロトコルでは、真空管の隔膜又はメンブレンを針、カニューレ又はピペットで穿通し、真空圧力を加えて流体サンプルを管から抽出する。幾つかの場合、真空管を吸引に先立って約１８０°逆さまにし、サンプル流体がサンプル管の頂部まで動くようにする。流体輸送を一段と容易にするため、特許明細書の中には、密閉真空管内の圧力を均圧するための第２の針、カニューレ又はピペットを開示しているものもある。これについては、例えば、米国特許第３，９４１，１７１号明細書、同第４，２９６，７８６号明細書、同第５，２７０，２１９号明細書、同第５，３８０，４８６号明細書、同第５，５２５，２９８号明細書、同第５，８３７，２０３号明細書、同第５，９７６，４６８号明細書、同第６，２７１，０４３号明細書、及び同第７，２４７，４９８号明細書並びに米国特許出願公開第２００４／０２２８７６５号明細書及び同第２００７／００５９２０４号明細書を参照されたい。
【００１２】
真空管の設計収容量としての流体の量に基づいて、真空管は、部分吸込み管（partial-draw tube ）か完全吸込み管（full-draw tube）かのいずれかに分類される場合がある。例えば、共通所有者の米国特許第６，０１６，７１２号明細書は、第１世代のVERIFYNOW（商標）血小板機能試験システム（米国カリフォルニア州サンディエゴ所在のアキュメトリックス・インコーポレイテッド（Accumetrics Inc.））を開示しており、この試験システムは、密閉部分吸込み真空管の使用向きに特別に設計されているものである。流体サンプルを密閉部分吸込み真空管から抽出するため、ハブ付き単一針をアキュメトリックス社製の消費可能なカートリッジ組立体に押しつけ、するとこれは、このカートリッジ組立体の一部となる。
【００１３】
部分吸込み真空管の主要な欠点は、これら部分吸込み真空管が完全真空管の場合よりも高い充填容積の変動性をもつ傾向があるということにある。密閉真空管は、通常、一定量の抗凝固薬、例えばクエン酸ナトリウムを収容し、流体と抗凝固薬の比のばらつきがかなりあると、そのことが試験結果の精度に悪影響を及ぼす。さらに、真空管の主要な市場供給業者は、自分たちのカタログから部分吸込み管をなくしており、部分吸込み管の消費者に利用可能なオプションは、極めて制限された状態になっている。かくして、臨床診断学において、アッセイを完全吸込み真空管フォーマットに変換するやむを得ない要望が存在する。
【００１４】
しかしながら、血小板機能試験のために完全吸込み真空管を用いることは、それ自体の問題を提起する。というのは、流体サンプルを完全吸込み真空管から吸い込むには、通常、部分吸込み真空管に必要な真空圧力よりも高い真空圧力が必要とされるからである。圧力が高いと、その結果として、流体の細胞性成分の損傷（例えば、溶血現象）が生じると共に血小板活性化が誘発され、これが、診断用アッセイが測定を試みているまさにそのことである。強力な真空吸込みにより引き起こされる血小板活性化は、名目上の患者の血小板活性化状態及び／又は薬物療法に対するこれらの反応を分かりにくくする。
【先行技術文献】
【特許文献】
【００１５】
【特許文献１】米国特許第５，７６３，１９９号明細書
【特許文献２】米国特許第５，２７９，７９６号明細書
【特許文献３】米国特許第５，６０２，０３７号明細書
【特許文献４】米国特許第５，８８８，８２６号明細書
【特許文献５】米国特許第６，０１６，７１２号明細書
【特許文献６】米国特許第６，８１７，２５６号明細書
【特許文献７】米国特許第６，８６９，４０５号明細書
【特許文献８】米国特許第６，９０２，５３４号明細書
【特許文献９】米国特許第３，９４１，１７１号明細書
【特許文献１０】米国特許第４，２９６，７８６号明細書
【特許文献１１】米国特許第５，２７０，２１９号明細書
【特許文献１２】米国特許第５，３８０，４８６号明細書
【特許文献１３】米国特許第５，５２５，２９８号明細書
【特許文献１４】米国特許第５，８３７，２０３号明細書
【特許文献１５】米国特許第５，９７６，４６８号明細書
【特許文献１６】米国特許第６，２７１，０４３号明細書
【特許文献１７】米国特許第７，２４７，４９８号明細書
【特許文献１８】米国特許出願公開第２００４／０２２８７６５号明細書
【特許文献１９】米国特許出願公開第２００７／００５９２０４号明細書
【特許文献２０】米国特許第６，０１６，７１２号明細書
【発明の概要】
【発明が解決しようとする課題】
【００１６】
今日まで、細胞を損傷させず又は血小板を活性化させずに流体サンプルを完全吸込み真空管から吸引できるようにする有効な解決策は見出されていない。かくして、細胞性成分を損傷させず又は血小板を活性化させないで流体サンプルを密閉容器、特に完全吸込み真空管から抽出する信頼性が高く且つ安価な器具を開発することが要望されている。
【００１７】
したがって、本発明の目的は、細胞性成分を損傷させず又は血小板を活性化させないで流体サンプルを密閉容器、特に完全吸込み真空管から抽出する信頼性が高く且つ安価な器具を提供することにある。もう１つの目的は、本発明の器具を用いて流体サンプルを密閉容器、特に完全吸込み真空管から抽出する方法を提供することにある。さらにもう１つの目的は、本発明の器具を含む流体サンプル中の血小板凝集度の測定キットを提供することにある。
【課題を解決するための手段】
【００１８】
本発明の一観点は、流体サンプルを密閉容器、例えば真空管から抽出する器具に関する。この器具は、第１の開口部、第２の開口部、第１の開口部と流体連通状態にある通気ポート、及び第２の開口部と流体連通状態にある入力ポートを備えたハウジングハブを有する。幾つかの実施形態では、第１の開口部は、通気弁及び疎水性メンブレンを収容するよう形作られると共に構成されている。幾つかの実施形態では、第２の開口部は、テーパ付きルアーロック先端部と嵌合するよう形作られると共に構成されている。この器具は、密閉容器内に最小圧力を維持する通気先端部、例えばスチール製注射針を更に有する。通気先端部は、尖った末端及び丸まった末端を有し、丸まった末端は、通気先端部と通気ポートとの流体連通関係を確立するようハウジングハブに係合する。この器具は、流体サンプルを密閉容器から抽出する入力先端部、例えばスチール製注射針を更に有する。入力先端部は、尖った末端及び丸まった末端を有し、丸まった末端は、入力先端部と入力ポートの流体連通を確立するようハウジングハブに係合する。この器具は、第１の開口部内に位置決めされていて、密閉容器内に望ましい最小圧力を維持する通気弁、例えばダックビル形逆止弁を更に有する。通気弁は、器具の外部から密閉容器への一方向空気流を可能にするが、密閉容器内の流体サンプルが第１の開口部から漏れ出るのを阻止する。最後に、この器具は、通気弁に隣接して位置決めされた疎水性メンブレンを有し、疎水性メンブレンは、流入空気を濾過すると共に流体サンプルが装置から漏れ出るのを阻止する。
【００１９】
本発明の別の実施形態は、流体サンプルを密閉容器から抽出する方法である。まず最初に、流体サンプルを密閉容器、例えば真空管内に用意する。また、上述したサンプル抽出器具を用意する。通気先端部及び入力先端部の尖った末端を用いて密閉容器を穿通して密閉容器とサンプル抽出器具とを互いに流体連通させる。サンプル抽出器具は、通常、圧力変更装置、例えばポンプ又は注射器に連結され、この圧力変更装置は、器具内の圧力を変えて流体サンプルを抽出するために用いられる。
【００２０】
本発明の更に別の実施形態は、流体サンプル中の血小板凝集度を測定するキットである。キットは、上述のサンプル抽出器具と、血小板凝集度を測定する試薬とを含む。キットは、オプションとして、サンプル収集容器、例えば真空管を含むのが良い。血小板凝集度を測定する試薬は、代表的には、共通所有者の米国特許第５，７６３，１９９号明細書に開示されているように、粒子上に不動化されたＧＰＩＩｂ／ＩＩＩａレセプターリガンド及び抗凝固薬及び流体サンプルのｐＨ及び塩濃度を血小板凝集に適した範囲内に維持する緩衝液を含む。なお、この米国特許を参照により引用し、その記載内容を本明細書の一部とする。
【図面の簡単な説明】
【００２１】
【図１】本発明のハブ付きデュアルカニューレ型器具の斜視図である。
【図２】本発明のハブ付きデュアルカニューレ型器具の別の斜視図であり、ハウジングハブの透明図を含む図である。
【図３Ａ】密閉真空管及びアキュメトリックス（Accumetrics）社製のVERIFYNOW（商標）アッセイカートリッジに連結された図２の器具の断面図である。
【図３Ｂ】図２の器具の拡大断面図である。
【発明を実施するための形態】
【００２２】
別段の規定がなければ、本明細書で用いられる全ての技術的及び科学的用語は、本発明の分野の当業者により一般的に理解されている意味と同一の意味を有する。本明細書において言及した全ての特許文献、特許出願（公開又は未公開）及び他の刊行物を参照により引用し、これらの記載内容全体を本明細書の一部とする。この項に記載されている定義は、参照により引用した特許、特許出願、特許出願公開及び他の刊行物に記載されている定義とは対照的であり又は一致しておらず、この項において説明する定義は、参照により引用した定義よりも優先する。
【００２３】
刊行物又は文献の引用は、かかる刊行物又は文献のどれもが関連の先行技術であるという承認を意味するわけではなく、或いは、かかる引用がこれら刊行物又は文献の内容又は日付に関して承認を示すものではない。
【００２４】
原文明細書で用いられている“ａ”又は“an”は、“at least one（少なくとも１つ）”又は“one or more（１つ又は２つ以上）”を意味している。
【００２５】
本明細書で用いる「流体サンプル」という用語は、細胞性成分及び他の粒子状物質を含む場合のある隔離された体液を意味している。この用語は、患者からの直接取り出された未処理の流体サンプルとあらかじめ処理されて何らかの都合の良い液体媒体、通常水性媒体（例えば、クエン酸ナトリウム）の状態に調製された流体サンプルの両方を含む。本発明は、血小板を含む流体サンプル、例えば全血、血小板含有血液フラクション、例えば血漿、多血小板血漿（ＰＲＰ）等に利用できる。血小板凝集度が測定される場合、流体サンプルは、代表的には、約５０％以下、好ましくは約２０％以下の希釈を受ける全血である。血液は、好ましくは、実質的に空気の存在していない状態で末梢静脈のない四肢の輸液から得られる。
【００２６】
本明細書で用いる「係合」という用語は、機械的又は物理的取り付け、インターロック、嵌合、結束又は結合の任意のモードを意味し、従って、「係合」状態にあると称される部材は、何らかの積極的な努力、エネルギーの印加等をしないで互いに分かれ又は分離することはないようになっている。
【００２７】
本明細書で用いられる２つ又は３つ以上のコンポーネント相互間の「流体連通」という用語は、直接的であるか間接的であるかのいずれかによる（例えば、コネクタパイプによる連通による）連結を意味し、従って、流体は、連通状態にあるこれらコンポーネントに流れたりこれから流れたりすることができるようになっている。
【００２８】
本明細書で用いられる「実質的に等しい」という表現は、２つの測定可能な値が互いの約３０％以内、好ましくは約２０％以内、より好ましくは約１０％以内、最も好ましくは約５％以下であることとして定義される。
【００２９】
本明細書で用いられる「実質的に平行」という表現は、「ほぼ平行」、例えば、完全に平行である状態から見て約３０°以内、好ましくは約２０°以内、より好ましくは約１０°以内、最も好ましくは約５°以内であることを意味するものと理解されたい。
【００３０】
本明細書で用いられる「高さ方向に互い違い」という表現は、２本の針が互いに対してずれていることを意味するようになっており、従って、一方の針の尖った末端が、他方の針の尖った末端よりもハウジングハブから遠くに延びるようになっている。
【００３１】
「非コアリング針」という用語は、当該技術分野の用語であり、本明細書ではそういうものとして用いられる。この用語は、実質的に対象物から物質を取り出すのではなく、先端部を対象物に挿入し又はこれに挿入貫通させると共に／或いはその対象物から抜去することができる針の形状輪郭を意味している。例えば、代表的な実施形態では、実質的に滑らかな外面及び先端部の末端の近くに位置するテーパした輪郭形状を備えた先端部を、容器を密封しているエラストマー隔膜に挿入貫通させ、そして実質的に隔膜からエラストマー材料を取り出すのではなく、所与の流体取り扱いプロセス中に隔膜から抜去する。
【００３２】
「ダックビル形逆止弁」という用語も又、当該技術分野の用語であり、本明細書においてはそういうものとして用いられる。ダックビル形逆止弁は、スリットのところで出会う２つの先細の弁リップにより形成された逆止弁の一形式であり、リップは、順方向（前方方向）の流れを可能にするためにスリットを開くよう互いに遠ざかるよう形作られると共に構成されている。弁は、通常、軟質エラストマー材料で作られ、従って、逆流方向における漏れを阻止するためにスリットを閉じると、リップ相互間に確実なシールが形成されるようになる。
【００３３】
本明細書で用いられる「部分吸込み真空管（partial-draw tube ）」という用語は、流体サンプルで部分的に満たされるよう設計された真空管を意味し、これに対し、「完全吸込み真空管（full-draw tube）」という用語は、流体サンプルで完全に満たされるよう設計された真空管を意味している。部分吸込み真空管の良く見受けられる一例は、VACUETTE（登録商標）管（米国ノースカロライナ州モンロー所在のグレイナー・バイオ‐ワン）であり、完全吸込み真空管の良く見受けられる一例は、VACUTAINER（登録商標）管（米国ニュージャージー州フランクリンレイクス所在のベクトン・ディッキンソン）である。真空管は、好ましくは、一般に約０．０５〜０．５ｍｌの容量の約３５％クエン酸ナトリウムの少量のクエン酸ナトリウム溶液を収容する。
【００３４】
本明細書で用いられる「１回使用器具」という用語は、ちょうど１回の使用向きの器具、即ち、１回の操作の際に１人の患者に対して使用されるようになった器具を意味している。
【００３５】
上述したように、本発明の一観点は、流体サンプルを密閉容器から抽出するハブ付きデュアルカニューレ型器具に関する。密閉容器は、通常、処理されるべき流体サンプルを収集する容器である。密閉容器は、任意の形態をしていて良く、例えば、注射器、真空管（例えば、VACUTAINER（登録商標）管）、キュペット、バイアル、カートリッジ等である。真空管は、部分吸込み管と完全吸込み管のいずれであっても良く、より好ましくは、完全吸込み管である。容器の製作に適した材料は、ガラス、プラスチック等である。一般に、流体サンプル又は流体サンプルを溶解させる溶剤と反応せず又はこれに対して有害な結果を生じさせない材料であればどのような材料を用いても良い。本発明のハブ付きデュアルカニューレ型器具への取り付けに適した要素が密閉容器の一部として設けられる。例えば、密閉容器は、好ましくは、穿通可能な要素、例えば隔膜、メンブレン等から成る。関与する主要な原理は、容器を開くことなく流体サンプルを密閉容器から本発明のサンプル抽出器具に輸送できるということにある。
【００３６】
本発明のハブ付きデュアルカニューレ型器具の例示の実施形態が図１に示されており、これは例示であって、本発明を限定するものではない。器具１００は、疎水性メンブレン１１０及び通気弁（図示せず）を備えたハウジングハブ１１３を有する状態で示されている。ハウジングハブは、通気先端部１１５及び入力先端部１１４と嵌合している。図２を参照すると、本発明の流体サンプル抽出器具２００が４つの基本的なコンポーネント、即ち、ハウジングハブ２１３、ハウジングハブ２１３に係合した２つの穿通先端部２１４，２１５、ハウジングハブ２１３内に位置決めされた通気弁２１１及び通気弁２１１に隣接して位置決めされた疎水性メンブレン２１０を有している。
【００３７】
次に図２及び図３を参照すると、ハウジングハブ２１３は、組立体の本体であり、組立後、ハウジングハブは、他の器具コンポーネントの全てを収容し又はこれらに係合する。他のコンポーネントを収容するため、ハウジングハブ２１３は、通気弁２１１及び疎水性メンブレン２１０を収容するよう形作られると共に構成された第１の開口部２１８及びテーパ付きルアーロック先端部３１３を収容するよう形作られると共に構成された第２の開口部２１２を有している。第１の開口部２１８は、通常、嵌合手段、例えば柔軟性継手、ルアー型継手等によって通気弁２１１に即座に連結されるようになっている。ハウジングハブ２１３は、密閉真空管３１０を通気するための通気ポート２２０を更に有している、通気ポート２２０は、第１の開口部２１８と流体連通状態にあると共に通気先端部２１５に取り付けられるようになった円筒形通路２１７と流体連通状態にある。ハウジングハブは、第２の開口部２１２と流体連通状態にあると共に入力先端部２１４に取り付けられるようになった円筒形通路２１９と流体連通状態にある入力ポート２１６を更に有している。通気ポート及び入力ポートの直径は、代表的には約０．３〜１．０ｍｍであり、好ましくは約０．５〜０．６ｍｍである。
【００３８】
上述したように、通気ポート２２０は、第１の開口部２１８と流体連通状態にあり、この第１の開口部は、密閉管３１０内に望ましい最小圧力を維持するために通気弁２１１を受け入れるよう形作られると共に構成されている。入力ポート２１６は、流体を密閉管３１０からサンプル抽出器具２００が通常テーパ付きルアーロック（２１２＋３１３）を介して取り付けられたサンプル試験モジュール３１１、例えばアキュメトリックス社製VERIFYNOW（商標）アッセイカートリッジに輸送させることができる。かかる輸送を容易にする好ましい手段は、器具内部の圧力を減少させることによってである。上述したように、入力ポート２１６は、サンプル試験モジュール３１１に即座に連結可能になった第２の開口部２１２と流体連通状態にあり、サンプル試験モジュール３１１は、試験モジュールの一部として圧力変更器具、例えば注射器又は真空ポンプを有するのが良く又は圧力変更器具と流体連通状態にあるのが良い。
【００３９】
幾つかの実施形態では、通気先端部２１５及び入力先端部２１４のうちの少なくとも一方は、注射針を有する。針は、好ましくは、従来型注射針と同様金属、例えばステンレス鋼で作られている。ただし、他の適当に硬質の材料を用いても良い。幾つかの実施形態では、針は、サイズが約１６〜２６ゲージ、より好ましくは、少なくとも約２１ゲージ（例えば、エア・タイト・プロダクツ・カンパニー・インコーポレイテッド（Air-Tite Products Co.,Inc.,）の部品番号Ｎ１８１２Ｂ）である。針の寸法は、通常、長さが約１３〜２０ｍｍ、好ましくは約１０ｍｍ、外径が約０．６〜１．５ｍｍ、好ましくは約０．８ｍｍ、内径が約０．３〜１．０ｍｍ、好ましくは約０．５ｍｍである。幾つかの実施形態では、針は、好ましくはチゼル先端部を備えた非コアリング針である。幾つかの実施形態では、通気先端部と入力先端部は、互いに実質的に等しい長さを有する。幾つかの実施形態では、通気先端部と入力先端部は、互いに実質的に平行であり、これらの尖った末端は、高さ方向に互い違いになっているか（図１〜図３に示されている）、実質的に等しい高さを有するよう構成されている。
【００４０】
上述したように、穿通先端部２１４，２１５は、それぞれ、円筒形通路２１９，２１７内に設けられることによりハウジングハブ２１３に係合する。幾つかの実施形態では、器具は、穿通先端部が既にハウジングハブ内に固定された状態で製造されるのが良い。幾つかの実施形態では、穿通先端部は、使用に先立ってハウジングハブ内に固定されるのが良い。円筒形通路２１７，２１９は、これらがサンプル容器の迅速な穿通を可能にするよう穿通先端部を保持できる限り、任意従来の長さ及び直径のものであって良い。円筒形通路２１９は、器具に対する流体サンプルの接近を可能にするよう入力ポート２１６と流体連通状態にある。器具は、先端部とユーザの両方を保護するために穿通先端部のカバーを更に有するのが良い。
【００４１】
通気弁２１１は、サンプル抽出器具２００の外部から密閉管３１０への一方向だけの空気の流れを可能にする。通気弁２１１は又、密閉管３１０から第１の開口部２１８への流体の逆流を阻止する。適当な通気弁としては、例えば、逆止弁、例えばダックビル形弁、電磁弁、シャトル弁等が挙げられる。幾つかの実施形態では、通気弁２１１は、ダックビル形逆止弁である。ダックビル形逆止弁は、材料、寸法及び設計が最小「クラッキング圧力」（即ち、弁の開放時における最小圧力差）を達成するまで空気の自由流れを制限する市販のコンポーネントである。これにより、密閉サンプル容器内における望ましい最小圧力の維持が可能である。
【００４２】
疎水性メンブレン２１０は、通気弁２１１に隣接して位置決めされ、この疎水性メンブレンは、最終的に密閉真空管３１０内に流入する到来空気のフィルタとしての役目を果たすと共に更に、逆洗流体が第１の開口部２１８から漏れ出るのを阻止するフェールセーフ補助機構としての役目を果たす。幾つかの実施形態では、疎水性メンブレンは、流体の存在下において膨潤して第１の開口部２１８を密封するよう設計された材料から成る。かかる材料としては、例えば、多孔質ポリマー、例えばPOREX XM-1374（登録商標）（米国ジョージア州フェアバーン所在のポレックス・テクノロジーズ・インコーポレイテッド（Porex Technologies, Inc.,））、GORE-TEX（商標）（米国デラウェア州ニューアーク所在のダブリュ・エル・ゴア・アンド・アソシエイツ・インコーポレイテッド（W.L.Gore & Associates,Inc.,））等が挙げられる。
【００４３】
ハブ付きデュアルカニューレ型器具を製作するには、通気弁をハウジングハブの第１の開口部内に挿入し、疎水性メンブレンを弁のすぐ後ろに配置し、プラスチックの包囲リムを冷間成形して（即ち、圧縮して変形させて）通気弁に加わる一定の予荷重を達成するのが良い。次に、通気先端部及び入力先端部を方向付けしてハウジングハブの円筒形通路内に挿入し、永久接着剤によって定位置に固定する。ハウジングハブを射出成形により単一部品として製作するのが良く、或いは、変形例として、ハウジングハブを個々の射出成形部品から組み立てても良い。ハウジングハブをサンプルの処理で用いられる温度に耐えることができる材料で作るのが良い。一般に、流体サンプル又は流体サンプルを溶解させ又は懸濁させている溶剤のどれとも反応せず又はこれらに悪影響を生じさせない材料であればどのような材料でも使用できる。ハウジングハブの製造に適した材料としては、熱可塑性材料、例えばポリスチレン、アクリルニトリルブタジエンスチレン（ＡＢＳ）、ポリアミド、ポリプロピレン、ポリエチレンテレフタレート（ＰＥＴ）、ポリカーボネート、ポリ塩化ビニル（ＰＶＣ）等が挙げられる。幾つかの実施形態では、本発明のハブ付きデュアルカニューレ型器具は、各使用後に破棄される１回使用器具である。
【００４４】
本発明の別の実施形態は、流体サンプルを密閉容器から抽出する方法である。図２及び図３を参照すると、流体サンプルは、通常、密閉容器、例えば真空管３１０内に入れられた状態で用意される。上述したようなハブ付きデュアルカニューレ型サンプル抽出器具２００も又用意する。器具２００は、これをサンプル試験モジュール３１１、例えばアキュメトリックス社製VERIFYNOW（商標）アッセイカートリッジの適当なテーパ付きルアーロック先端部３１３に圧力嵌めして入力針２１４とサンプル試験モジュールを流体連通させることによって配備される。サンプルモジュールを適当な臨床化学器具、例えばアキュメトリックス社製VERIFYNOW（商標）システムに差し込む。次に、真空管を図３Ｂに示されているように針２１５，２１４に押し付けることによって真空管３１０のメンブレン又は隔膜３１２を穿通し、それにより真空管３１０とサンプル抽出器具を流体連通させる。真空管の隔膜を穿通した後、この器具は、内部空気圧技術を用いてまず最初に流体サンプルを真空管から抽出してこれを試験モジュールのステージング領域に導入し、ここで流体サンプルを温め、次に、ステージング領域を加圧して温まった状態のサンプルをステージング領域から試験モジュールの混合及び検出チャンバ内に流入させ、ここで、アッセイ試験を実際に実施する。
【００４５】
本発明の方法は、多くの重要な利点を有する。第１に、一体形通気弁を設けることにより密閉容器内の圧力は、或る特定のあらかじめ設定されたしきい値を決して下回ることはなく、このことは、流体サンプルを容器から抽出するのに必要な力が小さくて済むことを意味している。したがって、流体サンプルの細胞性成分は、剪断による損傷を受ける度合いが小さく、血小板は、輸送の結果として活性化状態になる恐れが低い。第２に、本発明のハブ付きデュアルカニューレ型器具は、完全自蔵式であり且つ製造するのに費用がかからず、１回使用に好適であり、しかも洗浄を必要としない。
【００４６】
本発明の別の実施形態は、流体サンプル中の血小板凝集度を測定するキットであり、このキットは、上述したサンプル抽出器具と、米国特許第５，７６３，１９９号明細書、同第５，８５４，００５号明細書、同第６，０１６，７１２号明細書、同第７，２０５，１１５号明細書、米国特許出願公開第２００５／００３１６１６号明細書、同第２００６／０２４６５２８号明細書及び米国特許出願第１２／１１４，４９８号明細書（出願日：２００８年５月２日）に開示されているような血小板凝集度を測定するための試薬とをパッケージ化組み合わせ状態で有する。なお、これら特許文献の全てを参照により引用し、これらの記載内容を本明細書の一部とする。キットは、好ましくは、血小板の特有の凝集を促進する化合物で被覆された粒子、血小板活性剤及び緩衝液から成る凍結乾燥製剤を含む。凍結乾燥製剤は、反応容器、例えば分析器具で用いられるカートリッジ内に存在するのが良い。上述のアキュメトリックス社製VERIFYNOW（商標）システムの場合、凍結乾燥製剤は、分析器に用いられる４ウェル型カートリッジの外側ウェル内に配置されるのが良い。キットは、サンプル収集容器及び／又は本発明の方法を実施する器具を更に含むのが良い。幾つかの実施形態では、サンプル収集容器は、真空管、好ましくは部分吸込み真空管又は完全吸込み真空管である。試薬の相対的量は、判定の感度を実質的に最適化する溶液中の試薬の濃度を提供するよう様々であって良い。
【００４７】
上述したように、キットは、代表的には、結果的に血小板の特有の凝集、即ち、血小板に付着しているレセプタと粒子に付着している化合物の特定の相互作用による血小板の凝集を生じさせることができる化合物で被覆された粒子を含む。かかる化合物としては、血小板レセプタの抗体及びＧＰＩＩｂ／ＩＩＩａレセプターリガンドが挙げられるが、これらは例示であって本発明を限定するものではなく、かかるＧＰＩＩｂ／ＩＩＩａレセプターリガンドは、血小板表面に付着しているＧＰＩＩｂ／ＩＩＩａレセプタと結合し、これと錯体をなし又はこれと相互作用する小さな有機分子、ポリペプチド、タンパク質、単クローン抗体又は核酸であるのが良い。血小板の表面上のＧＰＩＩｂ／ＩＩＩａレセプタが粒子に付着しているＧＰＩＩｂ／ＩＩＩａレセプターリガンドと結合し、これと錯体をなし又はこれと相互作用すると、結果的に粒子の血小板媒介凝集が生じる。幾つかの実施形態では、ＧＰＩＩｂ／ＩＩＩａリガンドとしては、フィブリノーゲン、単クローン抗体１０Ｅ５（コラー等（Coller, et al.），「ジャーナル・オブ・クリニカル・インベスティゲーション（J. Clin. Invest.）」，１９８３年７２：３２５）、単クローン抗体ｃ７Ｅ３（ザ・エピック・インベスティゲーターズ（The EPIC Investigators），「エヌ・イー・ジャーナル・オブ・メディシン（N.E.J.Med.）」，１９９４年，３３０：９５６）、フォンウルブランド因子、フィブロネクチン、ビトロネクチン及びアルギニン‐グリシン‐アスパラギン酸（ＲＧＤ）配列若しくは他のペプチド又はこのアミノ酸配列を模倣したペプチドミメティックスを有する他のリガンド（クック等（Cook, et al.），「ドラッグズ・オブ・ザ・フューチャー（Drugs of the Future）」，１９９４年，１９：１３５）。関心のある他の化合物としては、低分子量ヘパリン等が挙げられる。
【００４８】
キットは、本発明のアッセイを実施するのに必要な他の試薬を更に含むのが良い。例えば、幾つかの実施形態では、キットは、サンプルバイアル、固体表面の血小板媒介凝集に適した範囲内で評価された流体サンプルのｐＨ及び塩濃度を維持する緩衝液及び血小板ＧＰＩＩｂ／ＩＩＩａレセプターリガンドで被覆された小さなポリマービーズを含む。緩衝液は、溶液であっても良く、或いは、所望の緩衝溶液を与えるよう既知の量の水が添加された干渉組成物及び塩だけからなっていても良い。オプションとして、キットは、抗凝固薬を更に含むのが良い。幾つかの実施形態では、緩衝液は、ＨＥＰＥＳであり、抗凝固薬は、クエン酸であり、ＧＰＩＩｂ／ＩＩＩａレセプターリガンドは、フィブリノーゲンであり、小さなポリマービーズは、ペプチドＧＰＩＩｂ／ＩＩＩａレセプターリガンド、例えばフィブリノーゲンがビーズ表面に共有結合され又は受動的に結合されたポリアクリルニトリル又はカルボキシル化ポリスチレンである。
【００４９】
該当する場合には、任意の試薬の活動度を維持するために試薬は、気密パッケージ内に配置されるのが良い。パッケージは、例えば、水分に対して実質的に不透性の材料で作られた袋、パウチ等であるのが良い。かかる材料としては、例えば、プラスチック、アルミニウム泊などが挙げられる。キットは、人の皮膚を穿通する物品、消毒薬又は滅菌パッド等を更に含むのが良い。キットは、較正器及び原器を更に含むのが良い。さらに、キットは、血小板の計数のためのアッセイを実施する１種類又は２種類以上の試薬を更に含むのが良い。幾つかの実施形態では、キットは、上述した１回使用サンプル抽出器具を含む。
【図１】
2011523078.tif 000003
【図２】
2011523078.tif 000004
【図３Ａ】
2011523078.tif 000005
【図３Ｂ】
2011523078.tif 000006
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
流体サンプルを密閉容器から抽出する器具であって、
（ａ）第１の開口部、第２の開口部、前記第１の開口部と流体連通状態にある通気ポート、及び前記第２の開口部と流体連通状態にある入力ポートを備えたハウジングハブを有し、
（ｂ）尖った末端及び丸まった末端を備えた通気先端部を有し、前記通気先端部の前記丸まった末端は、前記通気先端部と前記通気ポートとの流体連通関係を確立するよう前記ハウジングハブに係合し、
（ｃ）尖った末端及び丸まった末端を備えた入力先端部を有し、前記入力先端部の前記丸まった末端は、前記入力先端部と前記入力ポートとの流体連通を確立するよう前記ハウジングハブに係合し、
（ｄ）前記第１の開口部内に位置決めされた通気弁を有し、前記通気弁は、前記器具の外部から前記密閉容器への一方向空気流を可能にするが、前記密閉容器内の前記流体サンプルが前記第１の開口部から漏れ出るのを阻止し、
（ｅ）前記通気弁に隣接して位置決めされた疎水性メンブレンを有し、前記疎水性メンブレンは、流入空気を濾過すると共に前記密閉容器内の前記流体サンプルが前記第１の開口部から漏れ出るのを阻止する、器具。
【請求項２】
前記流体サンプルは、全血サンプル又は血漿サンプルである、請求項１記載の器具。
【請求項３】
前記血漿サンプルは、多血小板血漿サンプルである、請求項２記載の器具。
【請求項４】
前記第１の開口部は、前記通気弁及び前記疎水性メンブレンを収容するよう形作られると共に構成されている、請求項１記載の器具。
【請求項５】
前記第２の開口部は、テーパ付きルアーロック先端部と嵌合するよう形作られると共に構成されている、請求項１記載の器具。
【請求項６】
前記通気先端部及び前記入力先端部のうちの少なくとも一方は、注射針で構成される、請求項１記載の器具。
【請求項７】
前記注射針は、約１６〜２６ゲージである、請求項６記載の器具。
【請求項８】
前記注射針は、非コアリング注射針及びチゼル先端部を含む注射針から選択される、請求項６記載の器具。
【請求項９】
前記通気先端部と前記入力先端部は、実質的に等しい長さを有する、請求項１記載の器具。
【請求項１０】
前記通気先端部と前記入力先端部は、実質的に平行である、請求項１記載の器具。
【請求項１１】
前記通気先端部と前記入力先端部の前記尖った末端は、高さが互い違いになっており又は実質的に等しい高さを有する、請求項１０記載の器具。
【請求項１２】
前記通気弁は、ダックビル形逆止弁で構成される、請求項１記載の器具。
【請求項１３】
前記疎水性メンブレンは、流体の存在により膨張する材料で構成される、請求項１記載の器具。
【請求項１４】
前記ハウジングハブは、熱可塑性材料で構成される、請求項１記載の器具。
【請求項１５】
前記器具は、１回使用器具である、請求項１記載の器具。
【請求項１６】
流体サンプルを密閉容器から抽出する方法であって、
（ａ）請求項１記載の前記サンプル抽出器具及び密閉容器内に入れられている流体サンプルを用意するステップと、
（ｂ）前記通気先端部及び前記入力先端部の前記尖った末端を用いて前記密閉容器を穿通して前記密閉容器と前記サンプル抽出器具とを互いに流体連通させるステップと、
（ｃ）前記器具内の圧力を変えて前記流体サンプルを抽出するステップとを有する、方法。
【請求項１７】
前記流体サンプルは、全血サンプル又は血漿サンプルである、請求項１６記載の方法。
【請求項１８】
前記血漿サンプルは、多血小板血漿サンプルである、請求項１７記載の方法。
【請求項１９】
前記密閉容器は、真空管で構成される、請求項１６記載の方法。
【請求項２０】
前記真空管は、完全吸込み真空管及び部分吸込み真空管から選択される、請求項１９記載の方法。
【請求項２１】
流体サンプル中の血小板凝集度を測定するキットであって、前記キットは、請求項１記載の前記サンプル抽出器具と、血小板凝集度を測定する試薬とを含む、キット。
【請求項２２】
サンプル収集容器を更に含む、請求項２１記載のキット。
【請求項２３】
前記サンプル収集容器は、真空管である、請求項２２記載のキット。
【請求項２４】
前記真空管は、完全吸込み真空管及び部分吸込み真空管から選択される、請求項２３記載のキット。
【請求項２５】
血小板凝集度を測定する前記試薬は、粒子上に不動化されたＧＰＩＩｂ／ＩＩＩａレセプターリガンドを含む、請求項２１記載のキット。
【請求項２６】
前記流体サンプルのｐＨ及び塩濃度を血小板凝集に適した範囲内に維持する抗凝固薬及び緩衝液を更に含む、請求項２５記載のキット。
【請求項２７】
前記ＧＰＩＩｂ／ＩＩＩａレセプターリガンドは、フィブリノーゲン、単クローン抗体１０Ｅ５、単クローン抗体ｃ７Ｅ３、フォンウルブランド因子、フィブリネクチン、ビトロネクチン、アルギニン‐グリシン‐アスパラギン酸（ＲＧＤ）配列を有するリガンド及びＲＧＤ配列を模倣したペプチド又はペプチドミメチックから成る群から選択された物質を含む、請求項２５記載のキット。
【請求項２８】
前記ＧＰＩＩｂ／ＩＩＩａレセプターリガンドは、フィブリノーゲンを含む、請求項２５記載のキット。
【請求項２９】
前記サンプル抽出器具は、１回使用器具である、請求項２１記載のキット。
【国際調査報告】
2011523078.tif 000007
2011523078.tif 000008
2011523078.tif 000009